(57)【要約】【課題】  貨幣搬送装置を有する遊技機設置島と有しない遊技機設置島とに対応して設置することができるとともに、遊技店に導入する際のコストを低減できる遊技用装置を提供すること。【解決手段】  貨幣識別機、識別金額出力部、及び識別貨幣を収納するための識別貨幣収納部を有する第１の貨幣処理ユニット３１６と、貨幣識別機、識別金額出力部、及び識別貨幣を遊技機設置島内の貨幣搬送装置に排出するための貨幣排出機構部を有する第２の貨幣処理ユニット３１５と、これらユニットを付け替え可能に装着するための貨幣処理ユニット装着部４００と、装着された各貨幣処理ユニットから出力された識別金額の範囲内で遊技媒体の貸与制御を行うとともに、それぞれの識別金額出力部からの識別金額を受信したことを条件として、識別貨幣を識別貨幣収納部に収納または貨幣搬送装置に排出する指示を行う遊技媒体貸出制御手段と、を備える。【選択図】  図８
2005218717.tif 000002
【特許請求の範囲】
【請求項１】
受付けた貨幣を識別する貨幣識別機、該貨幣識別機にて識別された識別金額を出力する識別金額出力部、及び前記貨幣識別機にて識別された識別貨幣を収納するための識別貨幣収納部を有する第１の貨幣処理ユニットと、
受付けた貨幣を識別する貨幣識別機、該貨幣識別機にて識別された識別金額を出力する識別金額出力部、及び前記貨幣識別機にて識別された識別貨幣を遊技機設置島に設置される貨幣搬送装置に排出するための貨幣排出機構部を有する第２の貨幣処理ユニットと、
前記第１の貨幣処理ユニットまたは前記第２の貨幣処理ユニットを選択的に装着するための貨幣処理ユニット装着部と、
前記貨幣処理ユニット装着部に前記第１の貨幣処理ユニットが装着されたときに、該第１の貨幣処理ユニットの識別金額出力部から出力された識別金額の範囲内で前記遊技機設置島に設置される遊技機における遊技に使用する遊技媒体を貸与するための貸与制御を行うとともに、前記第１の貨幣処理ユニットの識別金額出力部から出力された識別金額を受信したことを条件として、前記第１の貨幣処理ユニットに対して前記識別貨幣を前記識別貨幣収納部に収納する旨を示す収納指示を行い、
前記貨幣処理ユニット装着部に前記第２の貨幣処理ユニットが装着されたときに、該第２の貨幣処理ユニットの識別金額出力部から出力された識別金額の範囲内で前記遊技機設置島に設置される遊技機における遊技に使用する遊技媒体を貸与するための貸与制御を行うとともに、前記第２の貨幣処理ユニットの識別金額出力部から出力された識別金額を受信したことを条件として、前記第２の貨幣処理ユニットに対して前記識別貨幣を前記貨幣搬送装置に排出する旨を示す排出指示を行う遊技媒体貸与制御手段と、
を備え、
前記第１の貨幣処理ユニットは、前記遊技媒体貸与制御手段からの前記収納指示に基づいて前記識別貨幣を前記識別貨幣収納部に収納し、
前記第２の貨幣処理ユニットは、前記遊技媒体貸与制御手段からの前記排出指示に基づいて前記識別貨幣を前記貨幣搬送装置に排出する
ことを特徴とする遊技用装置。
【請求項２】
前記第１の貨幣処理ユニットは、
前記貨幣処理ユニット装着部に装着された状態から前記遊技用装置の本体に対して前方に引き出し自在に装着され、
前記識別貨幣収納部は、
前記貨幣処理ユニット装着部に装着された前記第１の貨幣処理ユニットが前記遊技用装置の本体に対して前方に引き出されたときに当該識別貨幣収納部に収納された貨幣が取り出し可能となる貨幣取出部を有する
請求項１に記載の遊技用装置。
【請求項３】
前記第１の貨幣処理ユニットは、
前記識別貨幣収納部に収納された貨幣の収納量が所定量に達したか否かを判定する収納量判定手段と、
該収納量判定手段が前記所定量に達したと判定したときに前記貨幣の収納量が所定量に達した旨を報知する収納量報知手段と、
を有する
請求項１または２に記載の遊技用装置。
【請求項４】
前記第１の貨幣処理ユニット及び前記第２の貨幣処理ユニットは、
前記貨幣処理ユニット装着部に装着された前記第１の貨幣処理ユニットまたは前記第２の貨幣処理ユニットを該貨幣処理ユニット装着部から取り外せない状態にロックするロック機構と、
前記ロック機構によるロックが解除された旨を報知するロック解除報知手段と、
を有する
請求項１〜３のいずれかに記載の遊技用装置。
【請求項５】
前記第２の貨幣処理ユニットは、
前記貨幣搬送装置を制御する搬送制御部から前記識別貨幣を前記貨幣搬送装置に排出してよいか否かを示す情報を受信する受信部を有し、
前記排出機構部は、
該受信部において前記識別貨幣を排出してよい旨の情報を受信したことを条件として前記識別貨幣を前記貨幣搬送装置に排出する
請求項１〜４のいずれかに記載の遊技用装置。
【発明の詳細な説明】
【技術分野】
【０００１】
本発明は、受付けた貨幣を識別し、該識別された識別金額の範囲内で遊技機設置島に設置される遊技機における遊技に使用する遊技媒体を貸与するための貸与制御を行う遊技用装置に関する。
【背景技術】
【０００２】
従来、この種の遊技用装置としては、受付けた貨幣を貨幣識別機により識別した後、遊技機設置島に設置された貨幣搬送装置に排出し、該貨幣搬送装置により遊技機設置島の端部に設けられた群管理装置（貨幣回収装置）まで搬送して回収するようにしたものがある（例えば、特許文献１参照）。
【０００３】
一方、遊技店に設置される遊技機設置島にあっては、例えば遊技店の構造上等の問題から上記特許文献１に記載されたような貨幣搬送装置を遊技機設置島の内部に設けることができないことがあったため、このような遊技機設置島等に対応する遊技用装置として、受付けた貨幣を貨幣識別機により識別した後、台間機（遊技用装置）内部に設けられたストッカー（貨幣収納部）に収納するとともに、該ストッカーを台間機本体に対して前方に引き出すことで収納された貨幣を取り出して回収できるようにしたものがある（例えば、特許文献２参照）。
【０００４】
【特許文献１】特開平６−２４６０６０号公報（第３頁、第１−３図）
【特許文献２】特開２００２−２６３３５４号公報（第３−５頁、第１−５図）
【発明の開示】
【発明が解決しようとする課題】
【０００５】
しかしながら、遊技用装置を製造するメーカー等においては、上記特許文献１、２に記載されたような貨幣搬送装置を有する遊技機設置島と有しない遊技機設置島と、に対応する２種類の遊技用装置をそれぞれ設計・製造しておく必要があることから、これら遊技用装置の設計・製造コストが高くなり、結果として遊技店に遊技用装置を導入する際の導入コストが高くなってしまうといった問題を有していた。
【０００６】
本発明は、このような問題点に着目してなされたもので、貨幣搬送装置を有する遊技機設置島と有しない遊技機設置島とに対応して設置することができるとともに、遊技店に導入する際のコストを低減できる遊技用装置を提供することを目的とする。
【課題を解決するための手段】
【０００７】
上記課題を解決するために、本発明の請求項１に記載の遊技用装置は、
受付けた貨幣を識別する貨幣識別機、該貨幣識別機にて識別された識別金額を出力する識別金額出力部、及び前記貨幣識別機にて識別された識別貨幣を収納するための識別貨幣収納部を有する第１の貨幣処理ユニットと、
受付けた貨幣を識別する貨幣識別機、該貨幣識別機にて識別された識別金額を出力する識別金額出力部、及び前記貨幣識別機にて識別された識別貨幣を遊技機設置島に設置される貨幣搬送装置に排出するための貨幣排出機構部を有する第２の貨幣処理ユニットと、
前記第１の貨幣処理ユニットまたは前記第２の貨幣処理ユニットを選択的に装着するための貨幣処理ユニット装着部と、
前記貨幣処理ユニット装着部に前記第１の貨幣処理ユニットが装着されたときに、該第１の貨幣処理ユニットの識別金額出力部から出力された識別金額の範囲内で前記遊技機設置島に設置される遊技機における遊技に使用する遊技媒体を貸与するための貸与制御を行うとともに、前記第１の貨幣処理ユニットの識別金額出力部から出力された識別金額を受信したことを条件として、前記第１の貨幣処理ユニットに対して前記識別貨幣を前記識別貨幣収納部に収納する旨を示す収納指示を行い、
前記貨幣処理ユニット装着部に前記第２の貨幣処理ユニットが装着されたときに、該第２の貨幣処理ユニットの識別金額出力部から出力された識別金額の範囲内で前記遊技機設置島に設置される遊技機における遊技に使用する遊技媒体を貸与するための貸与制御を行うとともに、前記第２の貨幣処理ユニットの識別金額出力部から出力された識別金額を受信したことを条件として、前記第２の貨幣処理ユニットに対して前記識別貨幣を前記貨幣搬送装置に排出する旨を示す排出指示を行う遊技媒体貸与制御手段と、
を備え、
前記第１の貨幣処理ユニットは、前記遊技媒体貸与制御手段からの前記収納指示に基づいて前記識別貨幣を前記識別貨幣収納部に収納し、
前記第２の貨幣処理ユニットは、前記遊技媒体貸与制御手段からの前記排出指示に基づいて前記識別貨幣を前記貨幣搬送装置に排出することを特徴としている。
この特徴によれば、貨幣処理ユニットを２種類設計・製造しておけば、遊技機設置島に対応する種類の貨幣処理ユニットを貨幣処理ユニット装着部に装着することで、遊技媒体貸与制御手段は、装着された貨幣処理ユニットから出力された識別金額の範囲内で貸与処理を行うとともに、装着された貨幣処理ユニットの種類に応じて識別貨幣の排出指示もしくは収納指示を行うことができるため、貨幣搬送装置を有する遊技機設置島と有しない遊技機設置島とに対応する遊技用装置を提供することができ、遊技用装置自体を貨幣搬送装置を有する遊技機設置島と有しない遊技機設置島とに対応して２種類の設計・製造する場合に比べ、設計・製造コストが低減され、結果として遊技店への導入コストも低減されることになる。
【０００８】
本発明の請求項２に記載の遊技用装置は、請求項１に記載の遊技用装置であって、
前記第１の貨幣処理ユニットは、
前記貨幣処理ユニット装着部に装着された状態から前記遊技用装置の本体に対して前方に引き出し自在に装着され、
前記識別貨幣収納部は、
前記貨幣処理ユニット装着部に装着された前記第１の貨幣処理ユニットが前記遊技用装置の本体に対して前方に引き出されたときに当該識別貨幣収納部に収納された貨幣が取り出し可能となる貨幣取出部を有することを特徴としている。
この特徴によれば、隣接する遊技機を開放する等の作業を要することなく、第１の貨幣処理ユニットを遊技用装置の本体に対して前方に引き出すだけの容易な作業で識別貨幣収納部に収納された貨幣を貨幣取出部から取り出して回収することができる。
【０００９】
本発明の請求項３に記載の遊技用装置は、請求項１または２に記載の遊技用装置であって、
前記第１の貨幣処理ユニットは、
前記識別貨幣収納部に収納された貨幣の収納量が所定量に達したか否かを判定する収納量判定手段と、
該収納量判定手段が前記所定量に達したと判定したときに前記貨幣の収納量が所定量に達した旨を報知する収納量報知手段と、
を有することを特徴としている。
この特徴によれば、例えば収納量報知手段による報知により識別貨幣収納部に収納された貨幣が満杯状態となったこと等を店員等に認識させ、貨幣回収等の対応を迅速に行わせることができるばかりか、収納量報知手段が第１の貨幣処理ユニットに設けられることで、使用されない可能性のある（第２の貨幣処理ユニットが貨幣処理ユニット装着部に装着される場合）無駄な部品を遊技用装置の本体に設ける必要がなくなる。
【００１０】
本発明の請求項４に記載の遊技用装置は、請求項１〜３のいずれかに記載の遊技用装置であって、
前記第１の貨幣処理ユニット及び前記第２の貨幣処理ユニットは、
前記貨幣処理ユニット装着部に装着された前記第１の貨幣処理ユニットまたは前記第２の貨幣処理ユニットを該貨幣処理ユニット装着部から取り外せない状態にロックするロック機構と、
前記ロック機構によるロックが解除された旨を報知するロック解除報知手段と、
を有することを特徴としている。
この特徴によれば、ロック解除報知手段による報知によりロック機構によるロックが解除されたことを店員等に認識させることができるため、収納された貨幣の盗難等を防止することができるばかりか、使用されない可能性のある（第２の貨幣処理ユニットが貨幣処理ユニット装着部に装着される場合）無駄な部品を遊技用装置の本体に設ける必要がなくなる。
【００１１】
本発明の請求項５に記載の遊技用装置は、請求項１〜４のいずれかに記載の遊技用装置であって、
前記第２の貨幣処理ユニットは、
前記貨幣搬送装置を制御する搬送制御部から前記識別貨幣を前記貨幣搬送装置に排出してよいか否かを示す情報を受信する受信部を有し、
前記排出機構部は、
該受信部において前記識別貨幣を排出してよい旨の情報を受信したことを条件として前記識別貨幣を前記貨幣搬送装置に排出することを特徴としている。
この特徴によれば、貨幣搬送装置により搬送されている貨幣と排出機構部から排出された貨幣とが接触して貨幣詰まり等が生じることを防止することができる。また、受信部が第２の貨幣処理ユニットに設けられることで、使用されない可能性のある（第１の貨幣処理ユニットが貨幣処理ユニット装着部に装着される場合）無駄な部品を遊技用装置の本体に設ける必要がなくなる。
【発明を実施するための最良の形態】
【００１２】
本発明の実施例を以下に説明する。
【実施例】
【００１３】
図１に示すように、本発明の本実施例としての遊技機設置島１は、その前後面（後面は図示せず）に本実施例の遊技機であるパチンコ機２と、該パチンコ機２の側部位置に１対１にて配置される遊技用装置としてのカードユニット３と、が複数並設されており、該遊技機設置島１の内部には、前記各パチンコ機２における遊技に使用する遊技媒体としてのパチンコ球を供給する供給樋や、前記各パチンコ機２にて使用され、排出されたパチンコ球を集めて前記供給樋に揚送する揚送装置等（図示略）が設けられているとともに、高さ方向略中央部には前記各カードユニット３より排出された紙幣を遊技機設置島１の端部に設けられた分別収容部３６０に搬送可能な紙幣搬送装置３４０が設けられている。
【００１４】
また、本実施例の遊技機設置島１の端部には、後述のＩＣカードの新規発行並びに追加入金が可能とされたＩＣカード発行入金機３７０が設けられており、各カードユニット３とともに、図示しない管理コンピュータにデータ通信可能に接続されている。
【００１５】
本実施例の遊技機の一例としてのパチンコ機２は、図２に示すように、額縁状に形成されたガラス扉枠２０２を有し、該ガラス扉枠２０２の下部表面には打球供給皿２０３があり、該打球供給皿２０３の上面所定箇所には操作部３２が設けられている。打球供給皿２０３の下部には、打球供給皿２０３から溢れたパチンコ球を貯留する余剰球受皿２０４と打球を発射する打球操作ハンドル２０５とが設けられており、打球操作ハンドル２０５を操作することで打球供給皿２０３に供給されたパチンコ球が遊技領域２０７に打ち出されて遊技が行われるようになっている。
【００１６】
前記操作部３２の上面には、図３に示すように、遊技者によりカードユニット３に設けられた後述するＩＣカード挿入口３１４に挿入された遊技用記録媒体であるＩＣカード（図示略）より読み出された遊技用価値としての度数を表示する度数表示部２２と、遊技の開始または打球供給皿２０３に持球が無くなった際等に押圧操作されて、前記度数表示部２２に残度数が存在する場合に所定数量のパチンコ球の貸出を実施するための貸出ボタン１６と、遊技を終了する際に押圧操作されることにより、カードユニット３に挿入されているＩＣカードを返却するための返却ボタン１５と、が設けられており、これら各部は操作部３２内部に設けられている操作基板１８上に実装されている。
【００１７】
次に、図１、２に示されるパチンコ機２の構成を図４に基づいて簡単に説明すると、パチンコ機２は、遊技制御用マイクロコンピュータ等が搭載された遊技制御基板２３１を有し、該遊技制御基板２３１には、パチンコ球の払出制御を行う払出制御用マイクロコンピュータ等が搭載された賞球制御基板２３７と、パチンコ機２に設けられたスピーカから出力する音声制御を行うマイクロコンピュータ等が搭載された音制御基板２７０と、パチンコ機２に設けられた遊技効果ランプ・ＬＥＤ等に信号を送るためのランプ制御基板２３５と、前記打球操作ハンドル２０５の操作に応じて、図示しない駆動モータの回転力を利用してパチンコ球を遊技領域２０７に発射する打球発射装置の制御を行うマイクロコンピュータ等が搭載された発射制御基板２９１と、可変表示装置２０８の表示制御を行う表示制御基板２８０と、が接続されており、賞球制御基板２３７には、パチンコ球を払い出す払出装置２９７が接続されている。
【００１８】
遊技制御基板２３１に設けられる基本回路には、ゲーム制御用のプログラム等の各種の情報（データ）を記憶するためのＲＯＭ、ワークメモリとして使用されるＲＡＭ、ゲーム制御用のプログラム等の各種の制御用プログラムに従って遊技制御動作等の各種の制御動作を行うＣＰＵ、データおよび信号等の各種情報の入出力用に設けられた複数のポートを有するＩ／Ｏポート、この基本回路が動作する場合の基準タイミングとなる動作クロックをＣＰＵ等の各部に与えるクロック発生部が含まれる。
【００１９】
さらに、遊技制御基板２３１には、電源投入時に基本回路をリセットするための初期リセット回路、電源投入後に基本回路を定期的にリセットするための定期リセット回路、基本回路から与えられるアドレス信号をデコードしてＩ／ＯポートのうちのいずれかのＩ／Ｏポートを選択するための信号を出力するアドレスデコード回路等が設けられている。
【００２０】
遊技制御基板２３１から表示制御基板２８０には、パチンコ機２の可変表示装置２０８（図２参照）の可変表示部の表示制御に関する指令情報として、表示制御コマンドデータとストローブ信号としての割込信号とが伝送される。表示制御基板２８０側では、表示制御コマンドデータＣＤの指令内容にしたがって、可変表示部の表示制御を行う。
【００２１】
遊技制御基板２３１からランプ制御基板２３５には、ランプ制御基板２３５により制御が行われる遊技効果ＬＥＤ、賞球ランプ、球切れランプ、および、遊技効果ランプ等のパチンコ機２に搭載される各種ランプの制御に関する指令情報としてのランプ制御信号等の情報が伝送される。
【００２２】
遊技制御基板２３１から音声制御基板２７０には、音声制御基板２７０によりパチンコ機２に搭載されるスピーカ（図示略）から出力される効果音等の音声の制御に関する指令情報としての音声制御用コマンドデータ等の情報が伝送される。この音声制御用コマンドデータに応じて、音声制御基板２７０内に設けられた音声制御用のマイクロコンピュータは、スピーカ２２７からの効果音の発生等の音声の制御を行う。
【００２３】
遊技制御基板２３１から賞球制御基板２３７には、遊技領域２０７に設けられた各種スイッチの検出信号に基づいて、所定個数の景品球を払出すための賞球信号が出力される。賞球制御基板２３７では、その出力されてきた賞球信号に基づいて払出装置２９７を制御して所定個数のパチンコ球を払出すための制御を行う。
【００２４】
賞球制御基板２３７は、前記カードユニット３のカードユニット制御基板（図示略）に設けられたＩ／Ｏポート３１９に接続ケーブルを介して接続されており、後述の貸出完了信号（ＥＸＳ）やパチンコ機レディー信号（ＰＲＤＹ）がカードユニット３に設けられた遊技媒体貸与制御手段としてのマイクロプロセッシングユニット３２１（以下ＭＰＵと略称する）に出力されるようになっているとともに、カードユニット３のＭＰＵ３２１より出力される後述のカードユニットレディー信号（ＢＲＤＹ）や貸出要求完了確認信号（ＢＲＱ）が入力されるようになっている。
【００２５】
また、前記操作基板１８は、カードユニット３のＩ／Ｏポート３１９に接続ケーブルを介して接続されており、前記貸出ボタン１６が操作されて遊技者による球貸し操作がなされた場合に出力される貸出入力信号や、返却ボタン１６が操作されて遊技者による後述のＩＣカード挿入口３１４に挿入されたＩＣカードの返却操作がなされた場合に出力される返却入力信号が前記カードユニット３のＭＰＵ３２１に出力されるようになっているとともに、該ＭＰＵ３２１より出力される前記度数表示部２２の表示データの制御信号が入力されるようになっている。
【００２６】
次いで、本実施例に用いたカードユニット３について図２並びに図４に基づき説明する。なお、以下では、まず第２の貨幣処理ユニットである紙幣処理ユニット３１５が装着されたカードユニット３を一例にして説明すると、該カードユニット３の前面には、図２に示すように、点灯によりカードユニット３の動作を報知する動作ランプ３０１と、紙幣の挿入及び返却が可能とされた紙幣挿入口３０４と、該紙幣挿入口３０４から挿入された紙幣の識別及び紙幣搬送装置３４０への排出を行う紙幣処理ユニット３１５（第２の貨幣処理ユニット）を所定のキー操作によりカードユニット３の本体に対して施解錠（ロック及びロック解除）可能とする施錠装置４０７（図８参照）の鍵穴４０７ａと、該施錠装置４０７の解錠状態を点灯により報知する報知ランプ４０２と、該紙幣挿入口３０４からの紙幣の返却の際に点滅点灯されて該紙幣の返却を遊技者に報知する紙幣インジケータ３０３と、前述したＩＣカード挿入口３１４に挿入されているＩＣカードから読み出された度数に対して追加入金可能な金額を緑色表示するとともに、前記紙幣挿入口３０４に紙幣が挿入された際に、該挿入された紙幣の金額を赤色表示する金額表示部３０７と、ＩＣカードを挿入可能とされたＩＣカード挿入口３１４と、該ＩＣカード挿入口３１４に挿入されているＩＣカードの返却及び回収を遊技者に報知するカードインジケータ３１３と、が設けられている。
【００２７】
なお、紙幣挿入口３０４、鍵穴４０７ａ、報知ランプ４０２は、カードユニット３の本体内部における所定高さ位置に形成されたユニット装着部４００（図６参照）に着脱自在に装着される紙幣処理ユニット３１５の前面パネル３１５ａに形成されている。
【００２８】
このカードユニット３の構成を説明すると、図２並びに図４に示すように、前記動作ランプ３０１、紙幣インジケータ３０３、金額表示部３０７及びカードインジケータ３１３に加えて、前記紙幣挿入口３０４に連設され、挿入された紙幣の検出および該紙幣の種類（金種）と真贋の識別を行い、挿入された紙幣が正規の紙幣であった際に該挿入された紙幣をＭＰＵ３２１の指示に基づき、カードユニット３の本体背面側に設けられた紙幣回収口３４３（図６参照）を介して紙幣搬送装置３４０に対して排出するとともに、正規の紙幣でない場合においてはＭＰＵ３２１の指示に基づき、挿入された紙幣を紙幣挿入口３０４より返却する紙幣処理ユニット３１５と、ＩＣカード挿入口３１４に連設され、挿入されているＩＣカードに記録されている後述の識別情報（ＩＤ）や遊技用価値である度数の読み出し並びに遊技により更新された新たな度数の書き込み等を行うとともに、挿入されているＩＣカードから読み出された度数が０度数であるときに返却ボタン１５が操作された際に該挿入されているＩＣカードをカード回収部３５４（図６参照）に排出するＩＣカードリーダライタ３１７と、前記紙幣処理ユニット３１５から出力される識別結果に基づいて特定される識別金額や、挿入されたＩＣカード３７から読み出しおよび書き込まれる度数等を記憶するとともに、ＭＰＵ３２１が実行する制御内容等が記述された制御プログラム等を記憶する記憶部３１８と、パチンコ機２の賞球制御基板２３７や操作基板１８との各種信号の入出力が行われるＩ／Ｏポート３１９と、図示しない管理コンピュータとのデータ通信を行うための通信部３２５と、これら各部並びに前記操作基板１８に実装された度数表示部２２の制御等を行う遊技媒体貸与制御手段を構成する前記ＭＰＵ３２１と、を具備しており、これら各部は図４に示すように接続されている。
【００２９】
なお、本実施例における紙幣処理ユニット３１５は、図５、図６並びに図８に示すように、カードユニット３の本体内部に形成された中空状の空間にて構成されるユニット装着部４００に対して取外し自在に装着できるようになっており、該ユニット装着部４００に装着されることで、カードユニット３の本体内壁に設けられているコネクタ４１１と紙幣処理ユニット３１５側に設けられているコネクタ４１２とが嵌着し、紙幣処理ユニット３１５の制御部４０１とカードユニット３の本体側に設けられたＭＰＵ３２１とが電気的に接続されて、相互に各種の信号の授受が可能とされるとともに、カードユニット３の本体内壁に設けられているコネクタ４１４と紙幣処理ユニット３１５側に設けられているコネクタ４１３とが嵌着し、紙幣処理ユニット３１５の制御部４０１と紙幣搬送装置３４０の搬送制御部（図示略）とが電気的に接続されて、相互に各種の信号の授受が可能とされるようになっている。
【００３０】
なお、これらカードユニット３の本体側に設けられるコネクタ４１１、４１４及び紙幣処理ユニット３１５側に設けられるコネクタ４１２、４１３の配設状態の詳細に関して後述することとする。
【００３１】
紙幣処理ユニット３１５は、第２の貨幣処理ユニットの一例であり、図５に示すように、所定波長の近紫外線を紙幣に照射して紙幣に潜在化されている金額表示潜像を読み取る読み取りセンサ及び紙幣に印刷されている磁気印刷を検出する磁気センサ等からなり、受付けた紙幣（貨幣）を識別する紙幣（貨幣）識別機を構成する紙幣識別センサ４０４や、該紙幣識別センサ４０４により識別された識別金額をＭＰＵ３２１に出力する識別金額出力部を構成するコネクタ４２１や、紙幣識別センサ４０４により識別された識別紙幣を遊技機設置島１内の紙幣（貨幣）搬送装置３４０に排出するための紙幣（貨幣）排出機構４０５や、ユニット装着部４００に装着された当該紙幣処理ユニット３１５をユニット装着部４００から取り外せない状態にロックするロック機構を構成する施錠装置４０７や、施錠装置４０７の解錠を検出するための解錠検出センサ４０３や、該解錠検出センサ４０３により解錠が検出されたときに、施錠装置４０７が解錠された旨（ロックが解除された旨）を点灯により報知する報知ランプ４０２（ロック解除報知手段）や、紙幣搬送装置３４０を制御する搬送制御部から識別紙幣を紙幣搬送装置３４０に排出してよいか否かを示す情報を受信する受信部を構成するコネクタ４１３や、これらの各部に接続されて紙幣処理ユニット３１５の動作制御を行う制御部４０１と、を有している。
【００３２】
そして、制御部４０１がＩ／Ｏ回路４０８、コネクタ４１２、コネクタ４１１及びＩ／Ｏ回路３１９を介してＭＰＵ３２１（遊技媒体貸与制御手段）に接続されることにより、制御部４０１はＭＰＵ３２１からの排出指示に基づいて、紙幣排出機構４０５を駆動して識別紙幣を紙幣搬送装置３４０に排出する制御を行う。
【００３３】
また、制御部４０１がＩ／Ｏ回路４０９、コネクタ４１３及びコネクタ４１４を介して紙幣搬送装置３４０に接続されることにより、制御部４０１は搬送制御部から識別紙幣を排出してよい旨の情報を受信部としてのコネクタ４１３を介して受信したことを条件として、識別紙幣を紙幣搬送装置３４０に排出する制御を行う。
【００３４】
つまり、制御部４０１は、ＭＰＵ３２１から排出指示を受信し、かつ搬送制御部から識別紙幣を排出してよい旨の情報を受信していることを条件に識別紙幣を紙幣搬送装置３４０に排出する。これにより、紙幣処理ユニット３１５から紙幣搬送装置３４０への紙幣排出において、搬送中の紙幣と新たに排出される紙幣とが交錯して不具合を起こさないように、紙幣搬送装置３４０と連携できるようになっている。
【００３５】
また、本実施例では、ユニット装着部４００に紙幣を紙幣搬送装置３４０へ排出するための紙幣回収口３４３を有する紙幣処理ユニット３１５（第２の貨幣処理ユニット）を装着している例を示しているが、このユニット装着部４００は、図５並びに図８に示すように、挿入された紙幣を外部に排出せずに収納可能とされた紙幣処理ユニット３１５とは別個の紙幣識別ユニット３１６（第１の貨幣処理ユニット）も装着可能に構成されていて、カードユニット３が設置される遊技機設置島１の設備状況に応じて紙幣処理ユニット３１５または紙幣識別ユニット３１６のいずれかを選択的に装着できるようになっており、具体的には、紙幣搬送装置３４０を有する遊技機設置島１の場合には紙幣処理ユニット３１５を装着し、紙幣搬送装置３４０を有しない遊技機設置島の場合には紙幣識別ユニット３１６を装着できるようになっている。
【００３６】
この紙幣処理ユニット３１６は、第１の貨幣処理ユニットの一例であり、図５に示すように、所定波長の近紫外線を紙幣に照射して紙幣に潜在化されている金額表示潜像を読み取る読み取りセンサ及び紙幣に印刷されている磁気印刷を検出する磁気センサ等からなり、受付けた紙幣（貨幣）を識別する紙幣（貨幣）識別機を構成する紙幣識別センサ４５４や、該紙幣識別センサ４５４により識別された識別金額をＭＰＵ３２１に出力する識別金額出力部を構成するコネクタ４１５や、紙幣識別センサ４５４により識別された識別紙幣を当該紙幣処理ユニット３１６内に設けられる識別紙幣（貨幣）収納部を構成する紙幣収納部４４５（図９参照）まで搬送するための紙幣搬送機構４５５や、該紙幣搬送機構４５５により紙幣収納部４４５まで搬送された識別紙幣を整列回収して後述するストッカー４４６（図９参照）に収納するための動作を行う収納ソレノイド４５６や、ユニット装着部４００に装着された当該紙幣処理ユニット３１６をユニット装着部４００から取り外せない状態にロックするロック機構を構成する施錠装置４５７や、施錠装置４５７の解錠を検出するための解錠検出センサ４５３や、該解錠検出センサ４５３により解錠が検出されたときに、施錠装置４５７が解錠された旨（ロックが解除された旨）を点灯により報知するロック解除報知手段、及び前記紙幣（貨幣）収納部４５５に収納された紙幣（貨幣）の収納枚数（収納量）が所定枚数｛（所定量）本実施例では３０枚｝に達したときに、該紙幣（貨幣）の収納枚数が所定枚数である３０枚に達した旨を点滅により報知する収納量報知手段を構成する報知ランプ４５２や、これらの各部に接続されて紙幣処理ユニット３１５の動作制御を行う制御部４５１と、を有している。
【００３７】
そして、制御部４５１がＩ／Ｏ回路４５８、コネクタ４１５、コネクタ４１１及びＩ／Ｏ回路３１９を介してＭＰＵ３２１（遊技媒体貸与制御手段）に接続されることにより、制御部４５１はＭＰＵ３２１からの収納指示に基づいて、紙幣排出機構４５５及び収納ソレノイド４５６を駆動して識別紙幣を紙幣収納部４４５（ストッカー４４６）に収納する制御を行う。
【００３８】
また、制御部４５１は、紙幣収納部４４５に収納された紙幣（貨幣）の収納枚数（収納量）が所定枚数（所定量）である３０枚に達したか否かを判定し、収納枚数が３０枚に達したと判定したときに報知ランプ４５２を点滅させて、紙幣収納部４４５に３０枚の紙幣が収納されて満杯となっていることを報知する収納量判定手段を構成している。なお、本実施例においては、施錠装置４７０の解錠の報知と紙幣満杯状態の報知とを報知ランプの発光態様（点灯、点滅）を変えることで区別するようになっているが、発光色等を変えることで区別するようにしてもよい。なお、これら紙幣処理ユニット３１５、３１６やユニット装着部４００の詳細な構造については後述することとする。
【００３９】
各カードユニット３は、前記発行入金機３７０とともに、通信ケーブルを介して図示しない管理コンピュータに接続されており、ＩＣカードが挿入された場合や、該挿入されているＩＣカードから読み出されて記憶部３１８に記憶されている度数に変更が加えられた場合や、該挿入されているＩＣカードの返却処理並びに回収処理等が行われた場合に、該ＩＣカードに記録された後述の識別情報（ＩＤ）や発行金額データや度数データ、変更された度数データ等が前記管理コンピュータに出力されるようになっている。
【００４０】
本実施例に用いたＩＣカードリーダライタ３１７の内部には、ＩＣカード挿入口３１４からのＩＣカードの挿入を検知する挿入センサ（図示略）や、ＩＣカード挿入口３１４から挿入されたＩＣカードを搬送するための搬送ベルト（図示略）や、該搬送ベルトを駆動させる駆動モータ（図示略）等から成る搬送機構や、該搬送されるＩＣカードを所定位置に停止させるストップピンの出没を行うソレノイド（図示略）や、所定位置に停止されたＩＣカードへの給電やデータ通信を行う通信ヘッド（図示略）や、前記の各部に接続されてその制御を実施する制御基板（図示略）等が設けられており、挿入されているＩＣカードへのデータの読み取り及び書き込みが非接触状態にて可能とされている。
【００４１】
また、前記ＩＣカードから読み出された遊技用価値である度数が「０（無価値）」であるときに返却ボタン１５操作がなされた場合には、該ＩＣカードが前記搬送ベルトにより付勢されて下方に向かって搬送され、該ＩＣカードリーダライタ３１７の下方に設けられたカード回収部３５４（図６参照）に排出されて収納（回収）されるとともに、前記ＩＣカードから読み出された遊技用価値である度数が残存するときに返却ボタン１５操作がなされた場合には、該ＩＣカードが前記搬送ベルトにより付勢されてＩＣカード挿入口３１４から排出されて返却されるようになっている。
【００４２】
尚、本実施例においては、使用されるＩＣカードを、前記発行入金機３７０により発行されるプリペイドカ−ド（ビジターカード）とした例を示すが、本発明はこれに限定されるものではなく、これらＩＣカードを特定の会員に予め発行された会員カ−ドとして使用するようにしても良く、この場合、記録されている度数が「０」となっても回収せずに返却されるようになる。
【００４３】
これらＩＣカードは、図１に示す前記発行入金機３７０にて遊技者が購入できるようになっており、該購入に伴い新規に発行されるＩＣカードにおいては、個々のＩＣカードを識別可能な識別情報（ＩＤ）が発行時において前記管理コンピュータにより各ＩＣカード毎に付与されて記録されるとともに、該管理コンピュータには、これら各ＩＣカードに記録された度数情報等が各ＩＤ毎に登録され、ＩＣカードに記録された度数がカードユニット３における後述の貸出処理の実施により減算されたり、該カードユニット３もしくは前記発行入金機３７０における追加入金処理の実施により加算される等、該ＩＣカードの記録情報が変更される毎に前記管理コンピュータに登録された各ＩＤ毎の情報も逐次更新されて同様の情報に更新されるようになっており、これら発行されたＩＣカードの記録内容が前記管理コンピュータにより管理されるようになっている。
【００４４】
また、前記発行入金機３７０において新規にＩＣカードが発行される場合には、３０００円、５０００円、１００００円の購入金額に基づくＩＣカードが発行可能とされており、これら各ＩＣカードには、発行時において購入金額に基づく発行金額が記録されるようになっている。
【００４５】
上述のように構成されたカードユニット３においては、ＩＣカード挿入口３１４にＩＣカードが挿入されることで、ＩＣカードリーダライタ３１７により該挿入されたＩＣカードに記録された度数が読み出されて記憶部３１８に記憶されるとともに、該記憶された度数に基づき前記パチンコ機２の遊技に使用されるパチンコ球の貸出を行う貸出処理が実施可能とされている。
【００４６】
この貸出処理の制御状況を簡単に説明すると、まずパチンコ機２の賞球制御基板２３７は、該パチンコ機２にパチンコ球が供給されて払出が可能な状態となるとスタンバイ状態となり、前記ＰＲＤＹをＯＮとしてカードユニット３のＭＰＵ３２１に出力する。
【００４７】
このようにＰＲＤＹが出力されている状態において前記貸出ボタン１６が操作されると、カードユニット３のＭＰＵ３２１は、前記ＢＲＤＹをＯＮとして賞球制御基板２３７に出力し、この状態において、更に前記ＢＲＱをＯＮとして前記賞球基板２３７に出力する。
【００４８】
次いで、前記賞球制御基板２３７は、前記ＭＰＵ３２１より出力されているＢＲＤＹを検出している状態においてＢＲＱを検出すると、前記ＥＸＳをＯＮとしてＭＰＵ３２１に出力する。
【００４９】
該ＥＸＳを検出したＭＰＵ３２１は、前記ＢＲＱの出力をＯＦＦとし、該ＢＲＱのＯＦＦを検出した賞球制御基板２３７は、払出装置２９７に球払出信号を出力し、これに基づき１度数に該当する球数（本実施例では２５球）の払出が実施されるとともに、該払出の終了に基づき、前記ＥＸＳの出力をＯＦＦとする。
【００５０】
該ＥＸＳのＯＦＦを検出したＭＰＵ３２１は、前記カードユニット３のカード挿入口３１４に挿入されているＩＣカード３７より読み出されて記憶部３１８に記憶されている度数から１度を減算するとともに、前記度数表示部２２に表示されている度数から１度を減算して表示更新する。
【００５１】
ＭＰＵ３２１は、これらの制御を１回の貸出ボタン１６の操作に基づいて貸し出される度数分繰返し実施し（本実施例においては５度分）、これら制御が終了した後、ＢＲＤＹをＯＦＦとして貸出処理を完了する。
【００５２】
このようにカードユニット３のＭＰＵ３２１からＢＲＱが出力される回数に基づき、前記賞球基板２３７は１度分に該当する数量（２５球）のパチンコ球の貸出を実施するようになっており、このようにして貸出されたパチンコ球を使用して遊技者はパチンコ機２における遊技を実施できるようになっている。
【００５３】
また、カードユニット３においては、後述するように、挿入されているＩＣカードから読み出された度数が１０度数未満である場合において遊技者により紙幣が紙幣挿入口３０４から挿入されることで、挿入された紙幣の真贋並びに金種を識別し、該識別金額を金額表示部３０７に表示した後、該識別金額に基づく度数（１０００円毎に１０度を乗算した度数）を前記残存する度数に加算更新する追加入金処理が可能とされている。なお、本実施例における紙幣処理ユニット３１５は、全種類の紙幣を受付可能とされている。
【００５４】
また、カードユニット３においては、挿入されているＩＣカードから読み出された度数が「０（無価値）」のときに返却ボタン１５が操作された場合、該挿入されているＩＣカードをカード回収部３５４に収納して回収するとともに、挿入されているＩＣカードから読み出された度数が残存するときに返却ボタン１５が操作された場合、前記記憶部３１８に記憶されているその時点での残存度数を該挿入されているＩＣカードの記録内容に上書き更新してＩＣカード挿入口３１４より排出する返却処理が実施されるようになっている。
【００５５】
これらカードユニット３は、前記遊技機設置島１への配設時において、図７に示されるように、遊技機設置島１の前後面に設置されるカードユニット３における紙幣処理ユニット３１５の紙幣回収口３４３が、紙幣搬送装置３４０における連結ユニット３４１に設けられた紙幣回収路３４２に連結されて、該紙幣回収口３４３から排出された紙幣が、紙幣回収路３４２を介して紙幣搬送装置３４０へ排出されるようになっている。
【００５６】
紙幣搬送装置３４０は、図７に示されるように、内部に紙幣を搬送するコンベアベルト（図示略）が張架され、遊技機設置島の長手方向に延びる紙幣搬送路を構成する所定長さの複数の搬送ユニット３４４と、各搬送ユニット３４４のコンベアベルトを駆動する駆動モータ３４５が設けられた連結ユニット３４１とから構成されており、これらが遊技機設置島１の内部にて連結され、島端から島端に延びる１本状の搬送路が形成されるようになっており、紙幣処理ユニット３１５から紙幣回収路３４２を介して紙幣搬送装置３４０内部に排出された紙幣は、前記コンベアベルトの循環により島端に設けられた分別収容部３６０に搬送されて回収されるようになっている。
【００５７】
次に、紙幣処理ユニット３１５、３１６及びこれらを装着するユニット装着部４００の構造を、図６並びに図８〜図９に基づいて説明する。
【００５８】
図６及び図８に示されるように、紙幣処理ユニット３１５または紙幣処理ユニット３１６を付け替え可能に装着するためのユニット装着部４００は、カードユニット３の本体内部上方に形成された空間部にて構成されており、カードユニット３の本体前面に開口部を介して紙幣処理ユニット３１５や紙幣処理ユニット３１６を取付け（装着）、取外しできるようになっている。
【００５９】
ユニット装着部４００の上下部には、紙幣処理ユニット３１５、３１６をカードユニット３の前後方向にスライド移動自在に案内するガイドレール４２０、４２０が、それぞれカードユニット３の前後方向に向けて設けられている。これら上下のガイドレール４２０、４２０は、互いの対向面に前後方向を向く凹条が形成された縦断面略コ字形のレールとされているため、該凹条に紙幣処理ユニット３１５、３１６それぞれの本体上下部に設けられたガイド片４２１、４２２を摺動自在に嵌合させることにより、紙幣処理ユニット３１５、３１６がユニット装着部４００においてカードユニット３の本体の前後方向に向けてスライド移動自在にガイドされるようになっている。
【００６０】
また、カードユニット３を正面から見て左側の側板内面におけるユニット装着部４００の後方位置には、カードユニット３のＭＰＵ３２１に接続するコネクタ４１１及び紙幣搬送装置３４０の制御部に接続されるコネクタ４１４が並列状態で固設されており、紙幣処理ユニット３１５の装着時において、コネクタ４１１に紙幣処理ユニット３１５側に固設されたコネクタ４１２が嵌着するとともに、コネクタ４１４に紙幣処理ユニット３１５の制御部４０１に接続するコネクタ４１３が嵌着するようになっている。また、紙幣処理ユニット３１６の装着時においては、コネクタ４１１のみに紙幣処理ユニット３１６側に固着されたコネクタ４１５が嵌着するようになっている。
【００６１】
紙幣処理ユニット３１５は、ユニット装着部４００内に収容可能な大きさに形成された箱状のケース体４３０と、該ケース体４３０の前面開口を閉塞するとともにカードユニット３の前面の一部を構成する前面パネル３１５ａと、から主に構成されており、前面パネル３１５ａには、前述したように紙幣挿入口３０４、鍵穴４０７ａ、報知ランプ４０２が前面に望むように形成されている。
【００６２】
ケース体４３０の内部には、紙幣識別センサ４０４や、図示しない紙幣搬送モータ及び紙幣搬送ベルト等からなる紙幣排出機構４０５（貨幣排出機構部）が内設されているとともに、鍵穴４０７ａを有する施錠装置４０７が内設されている。
【００６３】
施錠装置４０７は、ケース体４３０の側面から外方に向けて突出するように設けられた係止片４０７ｂを有しており、該係止片４０７ｂは、紙幣処理ユニット３１５がユニット装着部４００に装着された状態において、カードユニット３の左側板の内面所定箇所に設けられた係止突起４３１（図８参照）の後面側に位置するように設けられており、係止片４０７ｂが係止突起４３１に当接することにより、紙幣処理ユニット３１５の前方への移動が規制されて取外しできない状態となる。
【００６４】
また、該係止片４０７ｂは、所定のキーを鍵穴４０７ａに差し込んで上下方向を向く差込位置から時計回りに回転させることにより、係止突起４３１と当接しない退避位置までケース体４３０側に退避して解錠されるようになっており、これにより紙幣処理ユニット３１５は前方へ移動可能となり、前方に引き出すことでユニット装着部４００から取外すことが可能となる。なお、この所定のキー操作により係止片４０７ｂがケース体４３０側に退避したこと、すなわち、解錠状態となったことが前記解錠検出センサ４０３により検出され、該検出に基づいて報知ランプ４０２が点灯することで解錠されたことが報知される。
【００６５】
ケース体４３０の上下面には、前述したガイド片４２１が前後方向に向けて突設されているとともに、ケース体４３０の背面には、内部の紙幣搬送機構により後方に搬送された紙幣をケース体４３０の外部、すなわち、紙幣搬送装置３４０の紙幣回収路３４２に排出するための紙幣回収口３４３が形成されている。また、ケース体４３０の左側の側面後方下部には、コネクタ４１２、４１３をケース体４３０の外側面からから突出しないように固着するためのコネクタ取付部４３２が凹設されている。
【００６６】
このように構成される紙幣処理ユニット３１５は、図８に示されるように、カードユニット３の前面に設けられたユニット装着部４００の前面開口部に、ガイド片４２１をガイドレール４２０の凹条内に嵌合した状態で挿入し、上下方向を向く鍵穴４０７ａに差し込んだ所定のキーを時計回りに回転させた状態（解錠状態）で、前面パネル３１５ａの後面端部がカードユニット３の側板前端面と当接する収容位置まで後方に向けて押し込むことでユニット装着部４００に装着される。
【００６７】
このように、紙幣処理ユニット３１５が前記収容位置まで押し込まれたときに、コネクタ４１２、４１３がカードユニット３の本体側に設けられたコネクタ４１１、４１４と接続され、カードユニット３のＭＰＵ３２１及び紙幣搬送装置３４０の搬送制御部と制御部４０１とが電気的に接続されるとともに、背面に形成された紙幣回収口３４３がカードユニット３の背面に望み、紙幣回収路３４２と接続される。
【００６８】
さらに、所定のキーを反時計回りに回転させて鍵穴４０７ａを上下方向を向く差込位置に戻すことで係止片４０７ｂの前面が係止突起４３１の後面に対向して当接可能な状態となって前方への移動が規制されることになる。すなわち、紙幣処理ユニット３１５は施錠装置４０７により施錠（ロック）され、ユニット装着部４００から取外しできない状態となる。
【００６９】
次に、紙幣処理ユニット３１６の構造を図９並びに図１０に基づいて説明すると、該紙幣処理ユニット３１６は、ユニット装着部４００内に収容可能な大きさに形成された箱状のケース体４４０と、該ケース体４３０の前面開口を閉塞するとともにカードユニット３の前面の一部を構成する前面パネル３１６ａと、から主に構成されており、前面パネル３１６ａには、前述したように紙幣挿入口３０４’、鍵穴４５７ａ、報知ランプ４５２が前面に望むように形成されている。
【００７０】
ケース体４４０は、紙幣識別センサ４５４や、図示しない紙幣搬送モータ及び紙幣搬送ベルト等からなる紙幣搬送機構や、鍵穴４０７ａを有する施錠装置４０７が内設される前部ケース４４０ａと、該紙幣識別センサ４５４により識別されて後方に向けて搬送された紙幣を収納するための紙幣収納部４４５を形成する後部ケース４４０ｂと、から構成されている。
【００７１】
これら前部ケース４４０ａの後端面と後部ケース４４０ｂの前端面は開口されており、前部ケース４４０ａの後端側部から後向きに突設された係止片４６０を、後部ケース４４０ｂの前端側部に形成された上下方向を向く係止溝４６１に上方から嵌挿することで、互いに一体化されて箱状のケース体４４０が形成されるようになっている。
【００７２】
施錠装置４５７は、ケース体４４０の側面から外方に向けて突出するように設けられた係止片４５７ｂを有しており、該係止片４５７ｂは、紙幣処理ユニット３１６がユニット装着部４００に装着された状態において、カードユニット３の左側板の内面所定箇所に設けられた係止突起４３１（図８参照）の後面側に位置するように設けられており、係止片４５７ｂが係止突起４３１に当接することにより、紙幣処理ユニット３１６の前方への移動が規制されて取外しできない状態となる。
【００７３】
また、該係止片４５７ｂは、所定のキーを鍵穴４５７ａに差し込んで上下方向を向く差込位置から時計回りに回転させることにより、係止突起４３１と当接しない位置までケース体４４０側に退避して解錠状態となるようになっており、これにより紙幣処理ユニット３１６は前方へ移動可能となり、前方に引き出すことでユニット装着部４００から取外すことが可能となる。なお、この所定のキー操作により係止片４５７ｂがケース体４４０側に退避したこと、すなわち、解錠状態となったことが前記解錠検出センサ４５３により検出され、該検出に基づいて報知ランプ４５２が点灯することで解錠されたことが報知されることになる。
【００７４】
ケース体４４０の上下面には、前述したガイド片４２２が前後方向に向けて突設されているとともに、ケース体４３０の左側の側面後方下部には、コネクタ４１５をケース体４４０から突出しないように固着するためのコネクタ取付部４４２が凹設されている。
【００７５】
紙幣収納部４４５には、特に図９に示されるように、所定数枚（本実施例では約３０枚）の紙幣を収納可能なストッカー４４６と、前方からストッカー４４６の側方まで搬送されてきた識別紙幣を、ストッカー４４６の側面に形成された収納開口４４７に向けて押圧してストッカー４４６内に収納するための押圧部材４４８と、該押圧部材４４８を往復動させるための収納ソレノイド４５６と、が内設されている。
【００７６】
ストッカー４４６は、板材の上下を折り曲げ加工することにより、押圧部材４４８側の側面及び前面に開口を有するとともに、縦向きの紙幣を前後方向に向けて複数枚収納するための空間を有するように形成されてなるもので、内部には、収納開口４４７から内部まで押圧されてきた縦向きの紙幣の上下端縁部を、上下の折返し片４４６ａに押し当ててストッカー４４６内に保持するための保持板４４９が、バネ４４４の付勢力により折返し片４４６ａ側に向けて押圧された状態で設けられている。
【００７７】
押圧部材４４８による押圧動作によりストッカー４４６に収納された紙幣は、図９に示されるように、その前端部が前面開口から望むように収納されるため、前部ケース４４０ａを上方に引き上げて前部ケース４４０ａを後部ケース４４０ｂから離脱させて、後部ケース４４０ｂの前面開口４４０ｃが開放されたときに、ストッカー４４６に収納された複数枚の紙幣の端部を把持して回収することができるようになっている。すなわち、後部ケース４４０ｂの前面開口４４０ｃは貨幣取出部を構成している。
【００７８】
なお、本実施例においては、紙幣識別センサ４５４により識別された識別紙幣を搬送してストッカー４４６に収納する旨を示す収納指示がカードユニット３のＭＰＵ３２１から出力されたことに基づいて、制御部４５１が識別紙幣を搬送してストッカー４４６に収納する収納動作を行うようになっている。そして、該制御部４５１は、該収納動作を行った回数を計数しており、該計数値が３０回に達したと判定したとき、すなわち、３０枚の紙幣がストッカー４４６に収納されたときに報知ランプ４５２を点滅させ、ストッカー４４６に収納された収納紙幣枚数が所定枚数（収納量）に達した旨を報知するようになっている。また、店員等が収納された紙幣を回収したときには、該回収した店員等が所定のリセット操作（図示しないリセットボタンの操作）を行うことにより制御部４５１により記憶されている収納動作回数がリセットされ、報知ランプ４５２が消灯するようになっている。
【００７９】
このように構成される紙幣処理ユニット３１６は、図８に示されるように、カードユニット３の前面に設けられたユニット装着部４００の前面開口部に、ガイド片４２２をガイドレール４２０の凹条内に嵌合した状態で挿入し、鍵穴４５７ａに差し込んだ所定のキーを上下方向を向く差込位置から時計回りに回転させた状態（解錠させた状態）で、前面パネル３１６ａの後面端部がカードユニット３の側板前端面と当接する収容位置まで後方に向けて押し込まれることで、ユニット装着部４００に装着される。
【００８０】
このように、紙幣処理ユニット３１６が前記収容位置まで押し込まれたときに、コネクタ４１５がカードユニット３の本体側のコネクタ４１１と接続し、カードユニット３のＭＰＵ３２１と制御部４０１とが電気的に接続される。
【００８１】
さらに、所定のキーを上下方向を向く差込位置から反時計回りに回転させることで係止片４５７ｂの前面が係止突起４３１の後面に対向して当接可能な状態となって前方への移動が規制されることになる。すなわち、紙幣処理ユニット３１６は施錠装置４５７により施錠（ロック）され、ユニット装着部４００から取外しできない状態となる。また、紙幣処理ユニット３１６をユニット装着部４００から取外す場合は、鍵穴４５７ａに差し込んだ所定のキーを時計回りに回転させて解錠し、ユニットを前方に引き出せばよい。
【００８２】
また、紙幣を回収する場合には、少なくとも紙幣処理ユニット３１６の一部、具体的には前部ケース４４０ａと後部ケース４４０ｂとの分離部がカードユニット３の前面よりも前方となる回収位置まで紙幣処理ユニット３１６をユニット装着部４００から引き出した状態で、前部ケース４４０ａを上方に引き上げて後部ケース４４０ｂから離脱させて後部ケース４４０ｂの前面開口４４０ｃを開放できるようになるため、ユニット装着部４００から紙幣処理ユニット３１６全体を取外すことなく、一部を引き出した状態でストッカー４４６に収納された複数枚の紙幣の端部を把持して前面開口４４０ｃ（貨幣取出部）から抜き出して回収することができるため、回収作業を容易に行うことができる。
【００８３】
また、紙幣処理ユニット３１６は、ユニット装着部４００からユニットの一部を前方に引き出さない限り前部ケース４４０ａを後部ケース４４０ｂに対して上方に引き上げて離脱させて前面開口４４０ｃを開放することができないため、紙幣処理ユニット３１６をユニット装着部４００から引き出しできない状態に施錠する施錠機構４５７が、ストッカー４４６を有する後部ケース４４０ｂに形成された紙幣取出部を構成する前面開口４４０ｃを開放不能な状態にロックするためのロック機構を兼ねている。
【００８４】
以上説明してきたように、カードユニット３のユニット装着部４００は、紙幣処理ユニット３１５、紙幣処理ユニット３１６それぞれを択一的に付け替え可能に構成されており、遊技機設置島１の状況に応じて、いずれかの紙幣処理ユニット３１５、３１６を装着することができる。
【００８５】
なお、上記第１の貨幣処理ユニットとしての紙幣処理ユニット３１６は、ケース体４４０の一部をユニット装着部４００から前方に引き出した状態で、前部ケース４４０ａを後部ケース４４０ｂから離脱することにより後部ケース４４０ｂの前面開口４４０ｃが開放して貨幣（紙幣）取出部が形成されるようになっていたが、例えば図１１に示される第１の貨幣処理ユニットの変形例１としての紙幣処理ユニット３１６’のように、ケース体４４０’を前後に分離自在とするのではなく、ケース体４４０’の側面の少なくとも一部を開口して開口部４７０を形成するとともに、該開口部４７０を開閉自在とする開閉扉４７１の内面にストッカー４４６を設け、該開閉扉４７１の開放とともにケース体４４０’内部から露呈されるようになっていてもよい。
【００８６】
このような紙幣処理ユニット３１６’においても、ケース体４４０’の一部をユニット装着部４００から前方に引き出した状態で開閉扉４７１が開放可能となり、ストッカー４４６に収納された紙幣を貨幣（紙幣）取出部としての開口部４７０から取り出し可能となるため、回収作業を容易に行うことができる。
【００８７】
さらに、上記紙幣処理ユニット３１６は、ケース体４４０全体がカードユニット３のユニット装着部４００の内部に収容された状態で装着されるように構成されていたが、図１２に示される第１の貨幣処理ユニットの変形例２としての紙幣処理ユニット３１６’’のように、ユニット装着部４００への装着時において、ケース体４４０’’の後部ケース４４０ｂ’のみが収容され、前部ケース４４０ａがカードユニット３の前面よりも前方に膨出した状態で装着されるようになっていてもよい（図１２（ａ）参照）。
【００８８】
この紙幣処理ユニット３１６’’は、前部ケース４４０ａ’と後部ケース４４０ｂ’とが蝶番４８０を介して前部ケース４４０ａ’が側方に開放可能に取り付けられており、図１２（ｂ）に示されるように、後部ケース４４０ｂ’がユニット装着部４００に収容されて装着されている状態において、鍵穴４８７ａに所定のキーを差し込んで、上下方向を向く差込位置から時計回りに回転させることで、後部ケース４４０ｂ’、すなわち、紙幣処理ユニット３１６’’が解錠されてユニット装着部４００から取外しできるようになるとともに、鍵穴４８７ａに差し込まれた所定のキーを前記差込位置から反時計回りに回転させることで前部ケース４４０ａ’が解錠されて開放可能となり、後部ケース４４０ｂ’の前面開口４４０ｃ’が開放され、該前面開口４４０ｃ’からストッカー４４６に収納されている収納紙幣を抜き取って回収することができるようになっている。
【００８９】
すなわち、この変形例２としての紙幣処理ユニット３１６’’における前面開口４４０ｃ’は貨幣（紙幣）取出部を構成しており、該紙幣処理ユニット３１６’’においては、紙幣処理ユニット３１６’’をユニット装着部４００から前方に引き出さなくても、所定の鍵操作により前部ケース４４０ａ’を解錠するだけで貨幣（紙幣）取出部としての前面開口４４０ｃ’を容易に開放することができる。
【００９０】
次に、本実施例のカードユニット３の前記追加入金処理時における動作状況を、図１３を用いて説明する。なお、ここではユニット装着部４００に紙幣処理ユニット３１５が装着されているカードユニット３の追加入金処理時における動作状況を説明する。
【００９１】
まず、ＩＣカード挿入口３１４にＩＣカードが挿入されている状態において、遊技者が紙幣挿入口３０４に紙幣を挿入すると、該紙幣の挿入が紙幣処理ユニット３１５にて検知されて、紙幣の取り込み（受付け）が実施されるとともに、該挿入紙幣の真贋と金種とが前述したように紙幣識別センサ４０４にて識別される。そして、該識別した真贋並びに金種の情報を含む識別結果（識別金額）が、紙幣処理ユニット３１５の制御部４０１におけるＩ／Ｏ回路４０８（識別金額出力部）を介してＭＰＵ３２１へ出力される。
【００９２】
この識別結果の出力に基づいてＭＰＵ３２１は、該識別結果の出力により、紙幣処理ユニット３１５において紙幣受付けがあったと判定するとともに、該識別結果に含まれる金種の情報から識別金額を特定し、該特定した識別金額を記憶部３１８に記憶して該記憶された識別金額を追加入金額として確定するとともに、該識別金額（追加入金額）を金額表示部３０７に表示する。
【００９３】
そして、該確定した追加入金額に基づく度数を記憶部３１８に記憶された度数並びに度数表示部２２に表示されている度数に加算更新する追加入金処理を実施するとともに、該追加入金処理の完了に基づいて、前記紙幣処理ユニット３１５に対して、当該紙幣処理ユニット３１５にて保持されている識別済みの紙幣（識別貨幣）の紙幣搬送装置３４０への排出指示を出力する。
【００９４】
尚、遊技者は前記追加入金処理にて加算更新された新たな度数を前述した貸出処理に使用することができ、ＭＰＵ３２１は、遊技者による貸出１６の操作に基づいて前記追加入金処理にて加算更新された新たな度数の範囲内で貸出処理を行う。
【００９５】
つまり、ＭＰＵ３２１は、ユニット装着部４００に第２の貨幣処理ユニットを構成する紙幣処理ユニット３１５が装着されたときに、紙幣処理ユニット３１５の識別金額出力部であるコネクタ４１２から出力された識別金額の範囲内で前記遊技機設置島に設置される遊技機であるパチンコ機２における遊技に使用する遊技媒体としてのパチンコ球を貸出（貸与）するための貸出（貸与）処理（制御）を行うとともに、紙幣処理ユニット３１５の識別金額出力部であるコネクタ４１２から出力された識別金額を受信したことを条件として、紙幣処理ユニット３１５に対して識別紙幣（貨幣）を紙幣（貨幣）搬送装置３４０に排出する旨を示す排出指示を出力する（行う）。
【００９６】
この排出指示の入力に基づいて、紙幣処理ユニット３１５の制御部４０１は、前記紙幣搬送装置３４０に対して紙幣を排出したい旨の排出要求を出力することにより、紙幣搬送装置３４０の図示しない搬送制御部において、当該紙幣処理ユニット３１５に対応する紙幣搬送装置３４０の経路上に搬送中の紙幣が存在するか否かが確認され、搬送紙幣が存在しない場合において当該搬送制御部から紙幣処理ユニット３１５の制御部４０１に対して、紙幣の排出を許諾する旨の排出許諾が出力される。そして、該紙幣搬送装置３４０の図示しない搬送制御部から出力された排出許諾を受信部としてのコネクタ４１３及びＩ／Ｏ回路４０９を介して受信した紙幣処理ユニット３１５の制御部４０１は、保持している紙幣を紙幣回収口３４３から前記紙幣回収路３４２へ排出する。すなわち、紙幣処理ユニット３１５の制御部４０１は、紙幣搬送装置３４０の図示しない搬送制御部から排出許諾を受信したことを条件に、保持している紙幣を紙幣回収口３４３から前記紙幣回収路３４２へ排出するようになっている。
【００９７】
次に、ユニット装着部４００に紙幣処理ユニット３１６（または変形例としての３１６’または紙幣処理ユニット３１６’’）が装着されているカードユニット３の追加入金処理時における動作状況を図１４に基づいて説明する。
【００９８】
まず、ＩＣカード挿入口３１４にＩＣカードが挿入されている状態において、遊技者が紙幣挿入口３０４’に紙幣を挿入すると、該紙幣の挿入が紙幣処理ユニット３１６にて検知されて、紙幣の取り込み（受付け）が実施されるとともに、該挿入紙幣の真贋と金種とが前述したように紙幣識別センサ４５４にて識別される。そして、該識別した真贋並びに金種の情報を含む識別結果（識別金額）が、紙幣処理ユニット３１６の制御部４５１におけるＩ／Ｏ（識別金額出力部）を介してＭＰＵ３２１（遊技媒体貸出制御手段）へ出力される。
【００９９】
この識別結果の出力に基づいてＭＰＵ３２１は、該識別結果の出力により、紙幣処理ユニット３１５において紙幣受付けがあったと判定するとともに、該識別結果に含まれる金種の情報から識別金額を特定し、該特定した識別金額を記憶部３１８に記憶して該記憶された識別金額を追加入金額として確定するとともに、該識別金額（追加入金額）を金額表示部３０７に表示する。
【０１００】
そして、該確定した追加入金額に基づく度数を記憶部３１８に記憶された度数並びに度数表示部２２に表示されている度数に加算更新する追加入金処理を実施するとともに、該追加入金処理の完了に基づいて、前記紙幣処理ユニット３１６に対して、当該紙幣処理ユニット３１６にて保持されている識別済みの紙幣（識別貨幣）の紙幣収納部４４５への収納指示を出力する。
【０１０１】
尚、遊技者は前記追加入金処理にて加算更新された新たな度数を前述した貸出処理に使用することができ、ＭＰＵ３２１は、遊技者による貸出１６の操作に基づいて前記追加入金処理にて加算更新された新たな度数の範囲内で貸出処理を行う。
【０１０２】
つまり、ＭＰＵ３２１は、ユニット装着部４００に第１の貨幣処理ユニットを構成する紙幣処理ユニット３１６が装着されたときに、紙幣処理ユニット３１６の識別金額出力部であるコネクタ４１５から出力された識別金額の範囲内で前記遊技機設置島に設置される遊技機であるパチンコ機２における遊技に使用する遊技媒体としてのパチンコ球を貸出（貸与）するための貸出（貸与）処理（制御）を行うとともに、紙幣処理ユニット３１６の識別金額出力部であるコネクタ４１５から出力された識別金額を受信したことを条件として、紙幣処理ユニット３１６に対して識別紙幣（貨幣）を識別貨幣収納部である紙幣収納部４４５に収納する旨を示す収納指示を出力する（行う）。
【０１０３】
この収納指示の入力に基づいて、紙幣処理ユニット３１６の制御部４５１は、紙幣搬送機構４５５を駆動して保持していた識別紙幣を後方の紙幣収納部４４５に搬送させるとともに、収納ソレノイド４５６を駆動して搬送した紙幣をストッカー４４６内に収納させる。なお、この紙幣収納動作の完了に伴い、紙幣処理ユニット３１６の制御部４５１は、当該収納動作を収納動作回数として計数すると共に、当該収納動作により前記リセット操作後からの収納動作回数が３０回に達したか否かを判定し、達したと判定したとき、すなわち、ストッカー４４６に収納された収納枚数（収納量）が３０枚に達してストッカー４４６の収納紙幣が満杯状態となっていると判定したとき、報知ランプ４５２を点滅させてストッカー４４６の収納紙幣が満杯状態となっている旨の報知を行う。
【０１０４】
以上説明したように、本発明の遊技用装置としてのカードユニット３においては、貨幣処理ユニットとして２種類の紙幣処理ユニット３１５、３１６を設計・製造しておけば、遊技機設置島１に対応する種類の紙幣処理ユニット３１５または紙幣処理ユニット３１６のいずれかをカードユニット３に設けられたユニット装着部４００に装着することで、遊技媒体貸出制御手段としてのＭＰＵ３２１は、装着された紙幣処理ユニットから出力された識別金額の範囲内で貸出処理を行うとともに、装着された紙幣処理ユニットに応じて識別紙幣の排出指示もしくは収納指示を行うことができるため、紙幣搬送装置３４０を有する遊技機設置島１と有しない遊技機設置島とに対応するカードユニット３を提供することができ、カードユニット３自体を貨幣搬送装置３４０を有する遊技機設置島１と有しない遊技機設置島とに対応して２種類の設計・製造する場合に比べ、設計・製造コストが低減され、結果として遊技店への導入コストも低減されることになる。
【０１０５】
また、第１の貨幣処理ユニットとしての紙幣処理ユニット３１６は、ユニット装着部４００に装着された状態からカードユニット３の本体に対して前方に引き出し自在に装着され、紙幣収納部４４５は、ユニット装着部４００に装着された紙幣処理ユニット３１６がカードユニット３の本体に対して前方に引き出されたときに当該紙幣収納部４４５（ストッカー４４６）に収納された紙幣が取り出し可能となる貨幣取出部としての前面開口４４０ｃを有するため、隣接するパチンコ機２を開放する等の作業を要することなく、紙幣処理ユニット３１６をカードユニット３の本体に対して前方に引き出すだけの容易な作業でストッカー４４６に収納された紙幣を前面開口４４０ｃから取り出して回収することができる。
【０１０６】
また、紙幣処理ユニット３１６は、紙幣収納部４４５に収納された紙幣の収納枚数（収納量）が所定枚数である３０枚（所定量）に達したか否かを判定する収納量判定手段としての制御部４０１と、該制御部４０１が前記所定枚数である３０枚に達したと判定したときに紙幣の収納枚数が３０枚に達した旨を報知する収納量報知手段としての報知ランプ４５２と、を有しているため、例えば報知ランプ４５２による報知により紙幣収納部４４５に収納された紙幣が満杯状態となったこと等を店員等に認識させ、紙幣回収等の対応を迅速に行わせることができる。また、報知ランプ４５２が紙幣処理ユニット３１６に設けられることで、使用されない可能性のある（第２の貨幣処理ユニットとしての紙幣処理ユニット３１５がユニット装着部４００に装着される場合）無駄な部品をカードユニット３の本体に設けておく必要がなくなる。
【０１０７】
紙幣処理ユニット３１５、３１６は、ユニット装着部４００に装着された紙幣処理ユニット３１５または紙幣処理ユニット３１６を該ユニット装着部４００から取り外せない状態にロックするロック機構としての施錠装置４０７、４５７と、該施錠装置４０７、４５７による施錠（ロック）が解除（解錠）された旨を報知するロック解除報知手段としての報知ランプ４０２、４５２をそれぞれ有するため、報知ランプ４０２、４５２による報知により施錠装置４０７、４５７が解錠されたことを店員等に認識させることができるため、収納された紙幣の盗難等を防止することができる。
【０１０８】
また、本実施例においては、紙幣処理ユニット３１６の施錠装置４５７を施錠することで、紙幣処理ユニット３１６のユニット装着部４００から取外しできない状態となり、これにより前部ケース４４０ａを後部ケース４４０ｂから離脱して前面開口４４０ｃを開放して紙幣を取り出すことができないようになっていたが、例えば紙幣処理ユニット３１６をユニット装着部４００から取外しできない状態とするための施錠装置と後部ケース４４０ｂの前面開口４４０ｃから紙幣収納部４４５に収納された収納紙幣を取り出しできない状態となるようにロックするロック機構、すなわち、前部ケース４４０ａを後部ケース４４０ｂから離脱できないように施錠するための施錠装置とを別個に設ける場合等においては、この前部ケース４４０ａを後部ケース４４０ｂから離脱できないように施錠するための施錠装置は、第２の貨幣処理ユニットとしての紙幣処理ユニット３１５がユニット装着部４００に装着される場合等においては不要となるため、このように使用されない可能性のある無駄な部品（施錠装置）等をカードユニット３の本体に設ける必要がなくなる。
【０１０９】
また、紙幣処理ユニット３１５は、紙幣搬送装置３４０を制御する搬送制御部から識別紙幣を紙幣搬送装置３４０に排出してよいか否かを示す情報（排出許諾）を受信するための受信部としてのコネクタ４１３及びＩ／Ｏ回路４０９を有し、貨幣排出機構部としての紙幣排出機構４０５は、該コネクタ４１３及びＩ／Ｏ回路４０９にて前記排出許諾を受信したことを条件として識別紙幣を紙幣搬送装置３４０に排出するように構成されているため、紙幣搬送装置３４０により搬送されている紙幣と紙幣排出機構４０５（貨幣排出機構部）から排出された紙幣とが接触して紙幣詰まり等が生じることを防止することができる。また、受信部としてのコネクタ４１３及びＩ／Ｏ回路４０９が紙幣処理ユニット３１５に設けられることで、使用されない可能性のある（紙幣処理ユニット３１６がユニット装着部４００に装着される場合）無駄な部品をカードユニット３の本体に設ける必要がなくなる。
【０１１０】
以上、本発明の実施形態を図面により実施例にて説明してきたが、本発明は実施例に記載したものに限定されるものではなく、本発明の主旨を逸脱しない範囲における変更や追加があっても本発明に含まれることは言うまでもない。
【０１１１】
例えば、上記実施例のカードユニット３においては、第１の貨幣処理ユニットとしての紙幣処理ユニット３１６または第２の貨幣処理ユニットとしての紙幣処理ユニットのいずれかを選択して装着する紙幣対応のカードユニットであったが、本発明はこれに限定されるものではなく、このような紙幣処理ユニットに替えて、または加えて、貨幣の一例である硬貨を用いて貸出処理を行うことができる硬貨対応のカードユニットであってもよく、この場合、受付けた硬貨を収納する第１の硬貨処理ユニット及び受付けた硬貨を硬貨搬送装置に搬送して回収する第２の硬貨処理ユニットの２種類を設計・製造しておき、これら２種類の硬貨処理ユニットを１つの硬貨処理ユニット装着部に付け替え可能に装着できるようにすればよい。
【０１１２】
また、上記実施例のカードユニット３は、受付けて識別された紙幣の識別金額を該識別金額を特定可能な遊技用価値の大きさである度数として、受付けたＩＣカードに記録されたカードＩＤに対応付けて管理コンピュータにて記憶されている残度数に加算する追加入金処理を行い、遊技者の貸出要求に応じて前記カードＩＤに対応して記憶されている残度数の範囲内で遊技媒体としてのパチンコ球の貸出処理を行う遊技用装置であったが、本発明はこれに限定されるものではなく、受付けて識別された貨幣の識別金額の範囲内でパチンコ球の貸出処理を行うものであれば、例えば受付けて識別した識別金額を記録可能な前記ＩＣカード等の遊技用記録媒体に記録する追加入金処理等を行うことなく、識別金額をカードユニット３の記憶部に記憶し、該識別された識別金額の範囲内で貸出処理を行う、いわゆる現金球貸機等に適用してもよいし、また、遊技者の貸出要求に応じることなく、貨幣の受付けに応じて貸出処理を行うものに適用してもよい。
【０１１３】
また、上記実施例におけるカードユニット３におけるユニット装着部４００は、第１の貨幣処理ユニットとしての紙幣処理ユニット３１６及び第２の貨幣処理ユニットとしての紙幣処理ユニット３１５を、カードユニット３の前面開口部から挿入して装着し、前方に引き出すことで取外しできるように構成されていたが、ユニット装着部４００に第１、または第２の貨幣処理ユニットを付け替え可能に構成されていれば、例えばカードユニット３の側面または背面から第１、または第２の貨幣処理ユニットを装着するものであってもよい。
【０１１４】
また、紙幣処理ユニット３１６にあっては、ストッカー４４６に収納された紙幣の収納量（収納枚数）を、制御部４０１による収納動作回数を計数することで収納量が所定量に達したか否かを判定するようになっていたが、例えば保持板４４９の保持位置を検出する検出センサからの出力状況に応じて収納量が所定枚数に達したか否かを検出するようにしてもよく、種々に変形可能である。
【０１１５】
また、紙幣処理ユニット３１５にあっては、ＭＰＵ３２１からの紙幣の排出指示に基づいて、制御部４０１が紙幣搬送装置３４０の搬送制御部に排出要求を出力し、排出許諾を受信したことを条件に紙幣回収路３４３に排出するようになっていたが、例えば紙幣処理ユニット３１５に制御部４０１を設けることなく、各種電機部品４５２〜４５５の動作制御をカードユニット３のＭＰＵ３２１にて行うようにし、紙幣搬送装置３４０への排出要求及び排出許諾の受信に基づく排出制御をカードユニット３のＭＰＵ３２１にて行うようにしてもよい。
【０１１６】
また、紙幣処理ユニット３１５においても、各種電機部品４０２〜４０５の動作制御をカードユニット３のＭＰＵ３２１にて行うようにしてもよい。
【０１１７】
また、上記実施例においては、遊技用装置としてのカードユニット３と遊技機としてのパチンコ機２とを別体としているが、本発明はこれに限定されるものではなく、これらパチンコ機及びカードユニットの双方の機能を有する一体型の遊技用装置としても良い。
【０１１８】
なお、本発明の請求項中に記載の遊技媒体の貸与とは、上記実施例にて記載したように、遊技媒体の一例であるパチンコ球の貸出のみならず、例えば得点等の付与であってもよく、この場合においては得点が遊技媒体となる。
【０１１９】
また、上記実施例においては、紙幣処理ユニット３１５、３１６における施錠装置４０７の解錠の報知及び紙幣処理ユニット３１６における収納紙幣枚数が所定枚数に達した旨の報知は、紙幣処理ユニット３１５、３１６に設けられた報知ランプ４０２、４５２にて行うようにしていたが、カードユニット３に設けられている動作ランプ３０１等を用いて報知を行うようにしてもよい。
【０１２０】
また、上記実施例においては、カードユニット３の本体前面を形成するパネルの一部を構成する紙幣処理ユニット３１５、３１６の前面パネル３１５ａ、３１６ａは、紙幣処理ユニット３１５、３１６それぞれの前面に設けられていたが、例えばカードユニット３の本体前面におけるユニット装着部４００の前面開口部に１枚の前面パネルを開閉自在に取り付け、該前面パネルを開閉することでユニット装着部４００の前面を開閉できるようにし、該前面パネルを両紙幣処理ユニット３１５、３１６に共通な前面パネルとして利用するようにしてもよい。なお、この場合、該前面パネルを施錠する施錠装置を設けておけば、紙幣処理ユニット３１５、３１６のいずれが装着される場合においても、１つの施錠装置を共用することができる。
【０１２１】
前記実施例における各要素は、本発明に対して以下のように対応している。
【０１２２】
本発明の請求項１は、受付けた貨幣（紙幣）を識別する貨幣識別機（紙幣識別センサ４５４）、該貨幣識別機にて識別された識別金額（識別結果）を出力する識別金額出力部（コネクタ４１５、Ｉ／Ｏ回路４５８）、及び前記貨幣識別機にて識別された識別貨幣（識別紙幣）を収納するための識別貨幣収納部｛紙幣収納部４４５（ストッカー４４６）｝を有する第１の貨幣処理ユニット｛紙幣処理ユニット３１６（３１６’、３１６’’）｝と、受付けた貨幣（紙幣）を識別する貨幣識別機（紙幣識別センサ４０４）、該貨幣識別機にて識別された識別金額（識別結果）を出力する識別金額出力部（コネクタ４１２、Ｉ／Ｏ回路４０８）、及び前記貨幣識別機にて識別された識別貨幣を遊技機設置島（１）に設置される貨幣搬送装置（紙幣搬送装置３４０の紙幣回収路３４２）に排出するための貨幣排出機構部｛紙幣排出機構４０５（紙幣搬送モータ、搬送ベルト、紙幣排出口３４３）｝を有する第２の貨幣処理ユニット（紙幣処理ユニット３１５）と、前記第１の貨幣処理ユニットまたは前記第２の貨幣処理ユニットを選択的に装着するための貨幣処理ユニット装着部（ユニット装着部４００）と、前記貨幣処理ユニット装着部に前記第１の貨幣処理ユニットが装着されたときに、該第１の貨幣処理ユニットの識別金額出力部から出力された識別金額の範囲内で前記遊技機設置島に設置される遊技機（パチンコ機２）における遊技に使用する遊技媒体（パチンコ球）を貸与（貸出）するための貸与制御｛貸出処理（追加入金処理を含む）｝を行うとともに、前記第１の貨幣処理ユニットの識別金額出力部から出力された識別金額（識別結果）を受信したことを条件として、前記第１の貨幣処理ユニットに対して前記識別貨幣を前記識別貨幣収納部に収納する旨を示す収納指示を行い、前記貨幣処理ユニット装着部に前記第２の貨幣処理ユニットが装着されたときに、該第２の貨幣処理ユニットの識別金額出力部から出力された識別金額の範囲内で前記遊技機設置島に設置される遊技機における遊技に使用する遊技媒体を貸与（貸出）するための貸与制御｛貸出処理（追加入金処理を含む）｝を行うとともに、前記第２の貨幣処理ユニットの識別金額出力部から出力された識別金額を受信したことを条件として、前記第２の貨幣処理ユニットに対して前記識別貨幣を前記貨幣搬送装置に排出する旨を示す排出指示を行う遊技媒体貸出制御手段｛カードユニット３（ＭＰＵ３２１）｝と、を備え、前記第１の貨幣処理ユニットは、前記遊技媒体貸与制御手段からの前記収納指示に基づいて前記識別貨幣を前記識別貨幣収納部に収納し、前記第２の貨幣処理ユニットは、前記遊技媒体貸与制御手段からの前記排出指示に基づいて前記識別貨幣を前記貨幣搬送装置に排出する。
【０１２３】
本発明の請求項２は、前記第１の貨幣処理ユニット｛紙幣処理ユニット３１６（３１６’）｝は、前記貨幣処理ユニット装着部（ユニット装着部４００）に装着された状態から前記遊技用装置（カードユニット３）の本体に対して前方に引き出し自在に装着され、前記識別貨幣収納部｛紙幣収納部４４５（ストッカー４４６）｝は、前記貨幣処理ユニット装着部に装着された前記第１の貨幣処理ユニットが前記遊技用装置の本体に対して前方に引き出されたときに当該識別貨幣収納部に収納された貨幣（紙幣）が取り出し可能となる貨幣取出部（前面開口４４０ｃ、４４０ｃ’）を有する。
【０１２４】
本発明の請求項３は、前記第１の貨幣処理ユニット｛紙幣処理ユニット３１６（３１６’、３１６’’）｝は、前記識別貨幣収納部｛紙幣収納部４４５（ストッカー４４６）｝に収納された貨幣（紙幣）の収納量（収納枚数）が所定量（３０枚）に達したか否かを判定する収納量判定手段（制御部４５１）と、該収納量判定手段が前記所定量に達したと判定したときに前記貨幣の収納量が所定量に達した旨を報知する収納量報知手段（報知ランプ４５２）と、を有する。
【０１２５】
本発明の請求項４は、前記第１の貨幣処理ユニット｛紙幣処理ユニット３１６（３１６’、３１６’’）｝及び前記第２の貨幣処理ユニット（紙幣処理ユニット３１５）は、前記貨幣処理ユニット装着部（ユニット装着部４００）に装着された前記第１の貨幣処理ユニットまたは前記第２の貨幣処理ユニットを該貨幣処理ユニット装着部から取り外せない状態にロック（施錠）するロック機構（施錠装置４０７、４５７）と、前記ロック機構によるロックが解除（解錠）された旨を報知するロック解除報知手段（報知ランプ４０２、４５２）と、を有する。
【０１２６】
本発明の請求項５は、前記第２の貨幣処理ユニット（紙幣処理ユニット３１５）は、前記貨幣搬送装置（紙幣搬送装置３４０）を制御する搬送制御部から前記識別貨幣（識別紙幣）を前記貨幣搬送装置に排出してよいか否かを示す情報（排出許諾）を受信する受信部（コネクタ４１３、Ｉ／Ｏ回路４０９）を有し、前記排出機構部｛紙幣排出機構４０５（紙幣搬送モータ、搬送ベルト、紙幣排出口３４３）｝は、該受信部において前記識別貨幣を排出してよい旨の情報（排出許諾）を受信したことを条件として前記識別貨幣を前記貨幣搬送装置に排出する。
【図面の簡単な説明】
【０１２７】
【図１】本発明の実施例１における遊技機設置島を示す外観斜視図である。
【図２】本発明の実施例１におけるパチンコ機並びにカードユニットを示す正面図である。
【図３】図１のパチンコ機の前方に突設された打球供給皿の上面に設けられた操作部を示す平面図である。
【図４】図１のパチンコ機とカードユニットとの接続状況並びに該カードユニットの構成を示すブロック図である。
【図５】図１のカードユニットと第１、第２の紙幣処理ユニットの接続状況並びに紙幣処理ユニットの詳細な構成を示すブロック図である。
【図６】（ａ）はカードユニットの正面図であり、（ｂ）はカードユニットの内部構造を示す概略断面図である。
【図７】カードユニットと遊技機設置島内に設けられた紙幣搬送路との接続状況を示す断面図である。
【図８】カードユニットに対する紙幣処理ユニットの付け替え状況を示す斜視図である。
【図９】紙幣処理ユニットを示す斜視図図である。
【図１０】図９のＡ−Ａ断面図である。
【図１１】変形例１としての紙幣処理ユニットを示す概略斜視図である。
【図１２】変形例２としての紙幣処理ユニットを示す概略斜視図である。
【図１３】追加入金処理時における紙幣処理ユニット３１５とカードユニット３と紙幣搬送装置とのやり取り状況を示す概略図である。
【図１４】追加入金処理時における紙幣処理ユニット３１５とカードユニット３と紙幣搬送装置とのやり取り状況を示す概略図である。
【符号の説明】
【０１２８】
２          パチンコ機
３          カードユニット
３１５      紙幣処理ユニット（第２の貨幣処理ユニット）
３１６      紙幣処理ユニット（第１の貨幣処理ユニット）
３２１      ＭＰＵ
４００      ユニット装着部
４０１、４５１  制御部
【図１】
2005218717.tif 000003
【図２】
2005218717.tif 000004
【図３】
2005218717.tif 000005
【図４】
2005218717.tif 000006
【図５】
2005218717.tif 000007
【図６】
2005218717.tif 000008
【図７】
2005218717.tif 000009
【図８】
2005218717.tif 000010
【図９】
2005218717.tif 000011
【図１０】
2005218717.tif 000012
【図１１】
2005218717.tif 000013
【図１２】
2005218717.tif 000014
【図１３】
2005218717.tif 000015
【図１４】
2005218717.tif 000016